(57)【要約】      （修正有）【課題】吸収性コアが変形しにくいペット用使い捨ておむつを提供する。【解決手段】背側胴周り領域１２０と、腹側胴周り領域１１０と、股下領域１３０と、尻尾挿通用開口１４０と、吸収性コア１５０と、を有するペット用使い捨ておむつ１００であって、吸収性コア１５０は、吸収性コア腹側領域１５１と、吸収性コア尻尾側領域１５２とを有し、吸収性コア腹側領域１５１は、所定領域を圧縮することにより設けられた圧縮部２１０を有し、圧縮部２１０は、吸収性コア腹側領域１５１に剛性を付与する剛性調整領域２００を形成する。【選択図】図１
0003212452.tif 000002
【実用新案登録請求の範囲】
【請求項１】
背側胴周り領域と、腹側胴周り領域と、前記背側胴周り領域と前記腹側胴周り領域の間に形成された股下領域と、尻尾挿通用開口と、前記腹側胴周り領域と前記尻尾挿通開口との間に形成された吸収性コアと、を有するペット用使い捨ておむつであって、
前記吸収性コアは、前記腹側胴周り領域の方向に位置する吸収性コア腹側領域と、前記尻尾挿通用開口の方向に位置する吸収性コア尻尾側領域とを有し、
前記吸収性コア腹側領域は、所定領域を圧縮することにより設けられた圧縮部を有し、
前記圧縮部は、前記吸収性コア腹側領域の剛性を調整する剛性調整領域を形成することを特徴とするペット用使い捨ておむつ。
【請求項２】
請求項１に記載されたペット用使い捨ておむつであって、
前記圧縮部は複数個設けられており、
当該複数設けられた圧縮部に囲まれた領域が前記剛性調整領域を形成することを特徴とするペット用使い捨ておむつ。
【請求項３】
請求項１または２に記載されたペット用使い捨ておむつであって、
前記吸収性コアは、前記ペット用使い捨ておむつの背側胴周り領域と腹側胴周り領域とを連続する方向である長手方向と、当該長手方向と交差する方向である長手交差方向と、前記長手方向および前記長手交差方向の双方と交差する方向である厚み方向とに亘り延在されていることを特徴とするペット用使い捨ておむつ。
【請求項４】
請求項３に記載されたペット用使い捨ておむつであって、
前記圧縮部は、前記長手方向に延在されていることを特徴とするペット用使い捨ておむつ。
【請求項５】
請求項３に記載されたペット用使い捨ておむつであって、
前記圧縮部は、前記長手交差方向に延在されていることを特徴とするペット用使い捨ておむつ。
【請求項６】
請求項１〜５のいずれか１項に記載されたペット用使い捨ておむつであって、
前記ペット用使い捨ておむつは、前記ペットに着用した状態において前記ペット側へ向けられる内側領域と、当該内側領域と対向する領域である外側領域とを有することを特徴とするペット用使い捨ておむつ。
【請求項７】
請求項６に記載されたペット用使い捨ておむつであって、
前記ペット用使い捨ておむつは、前記腹側胴周り領域に設けられた係止部と、前記背側胴周り領域における前記外側領域に設けられるとともに前記係止部を受ける係止領域と、を有する第１ペット用使い捨ておむつであることを特徴とするペット用使い捨ておむつ。
【請求項８】
請求項６に記載されたペット用使い捨ておむつであって、
前記ペット用使い捨ておむつは、前記背側胴周り領域における前記長手交差方向上の一対の端部と、前記腹側胴周り領域における前記長手交差方向上の一対の端部とを接合する接合部を有する第２ペット用使い捨ておむつであることを特徴とするペット用使い捨ておむつ。
【考案の詳細な説明】
【技術分野】
【０００１】
本考案は、ペット用使い捨ておむつに関する。
【背景技術】
【０００２】
犬や猫に代表されるペットを、家屋内で飼育することは一般的である。このため、種々のペット用使い捨ておむつが販売されている。例えば、特開２０１２−１６１２７８号に示される構造のペット用使い捨ておむつが提案されている。
【先行技術文献】
【特許文献】
【０００３】
【特許文献１】特開２０１２−１６１２７８号公報
【考案の概要】
【考案が解決しようとする課題】
【０００４】
ペット用使い捨ておむつにおいては、特に吸収性コアの剛性が低いと、吸収性コアの形状が変形する可能性があった。吸収性コアが変形すると、排泄物の漏れなどの問題が生じていた。
一方、特開２０１２−１６１２７８号に記載されたペット用使い捨ておむつは、吸収性コアに対し、合成樹脂などによる形状補強部材が設けられていた。一方、形状補強部材により吸収性コアの剛性を高めるため、きめ細やかな対応が困難であった。
【０００５】
本考案は、このような点に鑑みて創案されたものであり、吸収性コアが変形しにくいペット用使い捨ておむつの構築技術を提供することを目的とする。
【課題を解決するための手段】
【０００６】
上記課題を解決するため、本考案におけるペット用使い捨ておむつは、背側胴周り領域と、腹側胴周り領域と、背側胴周り領域と腹側胴周り領域の間に形成された股下領域と、尻尾挿通用開口と、腹側胴周り領域と尻尾挿通開口との間に形成された吸収性コアと、を有する。
吸収性コアは、腹側胴周り領域の方向に位置する吸収性コア腹側領域と、尻尾挿通用開口の方向に位置する吸収性コア尻尾側領域とを有する。
吸収性コア腹側領域は、所定領域を圧縮することにより設けられた圧縮部を有する。
圧縮部は、吸収性コア腹側領域の剛性を調整する剛性調整領域を形成する。
よって、本考案に係るペット用使い捨ておむつは、剛性調整領域により吸収性コアが変形しにくい構造となる。
【０００７】
また本考案に係る解決手段の一態様として、圧縮部は複数個設けられている。複数設けられた圧縮部に囲まれた領域が剛性調整領域を形成する。
【０００８】
また本考案に係る解決手段の一態様として、吸収性コアは、ペット用使い捨ておむつの背側胴周り領域と腹側胴周り領域とを連続する方向である長手方向と、長手方向と交差する方向である長手交差方向と、長手方向および長手交差方向の双方と交差する方向である厚み方向とに亘り延在されている。
【０００９】
また本考案に係る解決手段の一態様として、圧縮部は、長手方向に延在されている。
【００１０】
また本考案に係る解決手段の一態様として、圧縮部は、長手交差方向に延在されている。
【００１１】
また本考案に係る解決手段の一態様として、ペット用使い捨ておむつは、ペットに着用した状態においてペット側へ向けられる内側領域と、内側領域と対向する領域である外側領域とを有する。
【００１２】
また本考案に係る解決手段の一態様として、ペット用使い捨ておむつは、腹側胴周り領域に設けられた係止部と、背側胴周り領域における前記外側領域に設けられるとともに係止部を受ける係止領域と、を有する第１ペット用使い捨ておむつである。すなわち、本考案に係るペット用使い捨ておむつとして、いわゆるオープン型のペット用使い捨ておむつを使用することができる。
【００１３】
また本考案に係る解決手段の一態様として、ペット用使い捨ておむつは、背側胴周り領域における前記長手交差方向上の一対の端部と、腹側胴周り領域における長手交差方向上の一対の端部とを接合する接合部を有する第２ペット用使い捨ておむつである。すなわち、本考案に係るペット用使い捨ておむつとして、いわゆるパンツ型のペット用使い捨ておむつを使用することができる。
【考案の効果】
【００１４】
本考案に係るペット用使い捨ておむつは、吸収性コアに設けられた圧縮部により、吸収性コアに剛性調整領域を形成する。よって、ペット用使い捨ておむつの吸収性コアは、変形が生じにくくなる。
【図面の簡単な説明】
【００１５】
【図１】本考案の実施形態に係るペット用使い捨ておむつの概要を示す説明図である。
【図２】図１におけるＩ−Ｉ線断面図である。
【図３】本考案の実施形態に係るペット用使い捨てオープン型おむつを示す説明図である。
【図４】本考案の実施形態に係るペット用使い捨てパンツ型おむつを示す説明図である。
【図５】本考案の第１変形例に係るペット用使い捨ておむつの概要を示す説明図である。
【図６】図５におけるＩＩ−ＩＩ線断面図である。
【図７】本考案の第２変形例に係るペット用使い捨ておむつの概要を示す説明図である。
【図８】図７におけるＩＩＩ−ＩＩＩ線断面図である。
【図９】本考案の第３変形例に係るペット用使い捨ておむつの概要を示す説明図である。
【図１０】図９におけるＩＶ−ＩＶ線断面図である。
【図１１】本考案の第４変形例に係るペット用使い捨ておむつの概要を示す説明図である。
【図１２】図５におけるＶ−Ｖ線断面図である。
【図１３】本考案の第５変形例に係るペット用使い捨ておむつの概要を示す説明図である。
【考案を実施するための最良の形態】
【００１６】
（実施形態）
以下に、本考案に係る実施形態の概要を図１〜図４に基づき説明する。
図１は、本考案に係るペット用使い捨ておむつ１００を示す。本実施の形態において「ペット」とは、脊椎動物（哺乳類、爬虫類、鳥類、両性類）や無脊椎動物を広く包含するが、典型的には猫、犬、ウサギ、ハムスター、馬、牛、豚、山羊といった愛玩動物がこれに該当する。
なお、本考案において、ペット用使い捨ておむつ１００は従来から種々提案されている、周知の構成や技術を採用することができる。よって、ペット用使い捨ておむつ１００の全体的な構造については、便宜上省略する。
【００１７】
図１は、本考案に係るペット用使い捨ておむつ１００における吸収性コア１５０の周辺を示す図である。
ペット用使い捨ておむつ１００は、背側胴周り領域１２０と、腹側胴周り領域１１０と、背側胴周り領域１２０と腹側胴周り領域１１０の間に形成された股下領域１３０と、尻尾挿通用開口１４０と、腹側胴周り領域１１０と尻尾挿通開口１４０との間に形成された吸収性コア１５０とを有する。
このペット用使い捨ておむつ１００が、本考案に係る「ペット用使い捨ておむつ」の一例である。この背側胴周り領域１２０が、本考案に係る「背側胴周り領域」の一例である。この腹側胴周り領域１１０が、本考案に係る「腹側胴周り領域」の一例である。この股下領域１３０が、本考案に係る「股下領域」の一例である。この尻尾挿通用開口１４０が、本考案に係る「尻尾挿通用開口」の一例である。この吸収性コア１５０が、本考案に係る「吸収性コア」の一例である。
【００１８】
尻尾挿通用開口１４０は、使い捨てペット用おむつ１００をペットに着用した状態において、ペットの尻尾が挿通される。実施形態における尻尾挿通用開口１４０は、弧状の切込みにより形成される。一方、尻尾挿通用開口１４０は、直線状の切込みによって形成したり、円形等の開口により形成することができる。
【００１９】
ペット用使い捨ておむつ１００は、背側胴周り領域１２０と腹側胴周り領域１１０とを連続する方向である長手方向１００Ｙと、長手方向１００Ｙと交差する方向である長手交差方向１００Ｘと、長手方向１００Ｙおよび長手交差方向１００Ｘの双方と交差する方向である厚み方向１００Ｚとに亘り延在されている。
吸収体１５０も同様に、長手方向１００Ｙと、長手交差方向１００Ｘと、厚み方向１００Ｚとに亘り延在されている。
この長手方向１００Ｙが、本考案に係る「長手方向」の一例である。この長手交差方向１００Ｘが、本考案に係る「長手交差方向」の一例である。この厚み方向１００Ｚが、本考案に係る「厚み方向」の一例である。
【００２０】
ペット用使い捨ておむつ１００は、ペットに着用した状態においてペット側へ向けられる内側領域１００Ｚ１と、内側領域１００Ｚ１と対向する領域である外側領域１００Ｚ２とを有する。
この内側領域１００Ｚ１が、本考案に係る「内側領域」の一例である。この外側領域１００Ｚ２が、本考案に係る「外側領域」の一例である。
【００２１】
吸収性コア１５０は、腹側胴周り領域１１０の方向に位置する吸収性コア腹側領域１５１と、尻尾挿通用開口１４０の方向に位置する吸収性コア尻尾側領域１５２とを有する。
吸収性コア腹側領域１１０は、所定領域を圧縮することにより設けられた圧縮部２１０を有する。圧縮部２１０は、吸収性コア腹側領域１５１に剛性を付与する剛性調整領域２００を形成する。
この吸収性コア腹側領域１５１が、本考案に係る「吸収性コア腹側領域」の一例である。この吸収性コア尻尾側領域１５２が、本考案に係る「吸収性コア尻尾側領域」の一例である。この圧縮部２１０が、本考案に係る「圧縮部」の一例である。この剛性調整領域２００が、本考案に係る「剛性調整領域」の一例である。
【００２２】
圧縮部２１０は複数個設けられている。複数設けられた圧縮部２１０に囲まれた領域が、剛性調整領域２００を形成する。
なお、本考案において「囲まれた領域」とは、複数個配置されている圧縮部２１０の内、最も外側に存在する圧縮部２１０同士の間における領域を意味する。一方、複数個配置されている圧縮部２１０の内、任意の２つの圧縮部２１０同士の間の領域を意味することもできる。
吸収性コア１５０における圧縮部２１０は、圧縮部２１０が形成されていない吸収性コア１５０の領域と比して、異なる剛性を有する。圧縮部２１０の剛性は、圧縮部２１０における厚み方向１００Ｚの長さや、圧縮部２１０を形成する際の圧力や、圧縮部２１０の形状や、吸収性コア１５０における厚み方向１００Ｚの長さや、吸収性コア１５０を構成する素材などの要因により決定される。すなわち、圧縮部２１０の剛性は、圧縮部２１０が形成されていない吸収性コア１５０の領域における剛性と比して、高い場合と、低い場合とを有する。
【００２３】
本考案に係る実施形態において、圧縮部２１０は、長手方向１００Ｙに延在されている。よって、長手方向１００Ｙに対する剛性を調整することが可能となる。なお、本考案において「圧縮部２１０が延在する」とは、必ずしも延在する方向と平行に延びるという意味ではない。すなわち、「延在する」とは、圧縮部２１０の一方の端部から他方の端部が向かう方向が、延在する方向に向いていることを意味するものである。
【００２４】
圧縮部２１０は、周知のエンボスロール等の方法により、吸収性コア１５０に形成される。圧縮部２１０の形状、個数はペット用使い捨ておむつ１００全体に対するバランスや、吸収性コア１５０に対するバランス等を考慮して適宜選択することができる。
【００２５】
吸収性コア１５０は、第１シート状部材１６０と、第２シート状部材１７０との間に配置される。第２シート状部材１７０における、吸収性コア１５０とは対抗する側には第３シート状部材１８０が設けられる。第１シート状部材１６０が、内側領域１００Ｚ１を形成する。第３シート状部材１８０が、外側領域１００Ｚ２を形成する。
【００２６】
吸収性コア１５０は、パルプなどの吸液性繊維と高吸収性ポリマーとの混合物や、発泡性の吸液性合成樹脂などにより形成される。
第１シート状部材１６０は、透液性を有する。第２シート状部材１７０は、非透液性を有する。第１シート状部材１６０と第２シート状部材１７０は、吸収性コア１５０を挟持するシート状部材として、従来より種々提案されている構成を適宜使用することができる。また第３シート状部材１８０は、ペット用使い捨ておむつ１００の外側領域１００Ｚ２を構成するシート状部材として、従来より種々提案されている構成を適宜使用することができる。
【００２７】
なお、ペット用使い捨ておむつ１００全体としては、従来より種々提案されている構成を適宜使用することができる。ここで、ペット用使い捨ておむつの基本的な構成として、いわゆるオープン型の構造を有するものと、いわゆるパンツ型の構造を有するものにつき説明する。
【００２８】
代表的な周知の使い捨てペット用おむつ１００として、オープン型と呼ばれる構造のものを、図３に基づき説明する。
オープン型ペット用使い捨ておむつ１００Ａは、腹側胴周り領域１１０に設けられた係止部１１１Ａを有する。オープン型ペット用使い捨ておむつ１００Ａは、背側胴周り領域１２０における外側領域１００Ｚ２に設けられるとともに係止部１１１Ａを受ける係止領域１２１Ａを有する。
このオープン型ペット用使い捨ておむつ１００Ａが、本考案に係る「第１ペット用使い捨ておむつ」の一例である。この係止部１１１Ａが、本考案に係る「係止部」の一例である。この係止領域１２１Ａが、本考案に係る「係止領域」の一例である。
【００２９】
なお、腹側胴周り領域１１０はフラップ部１１２Ａを有する。係止部１１１Ａは、フラップ部１１２Ａに設けられる。
この着脱自在に形成された係止部１１１Ａと、係止領域１２１Ａは、周知の構成が適宜選択される。本考案の実施形態に係るオープン型ペット用使い捨ておむつ１００Ａにおいては、係止部１１１Ａは、複数のフックからなるフック部（図示しない）により形成される。また、係止領域１２１Ａは、フック部のフックに係止されるループ部を有するターゲットテープが、背側胴周り領域１２０の所定領域に配置されることにより形成される。
なお、このように係止部１１１Ａとしてフック部を使用する場合には、フック部と係合可能な不織布を背側胴周り領域１２０の所定領域に用いることができる。この場合、フック部と係合可能な不織布が、係止領域１２１Ａを形成する。また、係止部１１１Ａを粘着剤により形成する場合には、係止領域１２１Ａとして合成樹脂製のフィルムを使用することができる。
【００３０】
次に、代表的な周知の使い捨てペット用おむつとして、パンツ型と呼ばれる構造のものを、図４に基づき説明する。
パンツ型ペット用使い捨ておむつ１００Ｂは、背側胴周り領域１２０における長手交差方向１００Ｘ上の一対の端部と、腹側胴周り領域１１０における長手交差方向１００Ｘ上の一対の端部とを接合する接合部１００Ｂ１を有する。
このパンツ型ペット用使い捨ておむつ１００Ｂが、本考案に係る「第２ペット用使い捨ておむつ」の一例である。この接合部１００Ｂ１が、本考案に係る「接合部」の一例である。
なお、パンツ型ペット用使い捨ておむつ１００Ｂには、伸縮性弾性部材１００Ｂ２が配置されている。
【００３１】
本考案の実施形態においては、吸収性コア１５０に圧縮部２１０による剛性調整領域２００が形成されている。
よって、ペット用使い捨ておむつ１００が、オープン型ペット用使い捨ておむつ１００Ａであっても、パンツ型ペット用使い捨ておむつ１００Ｂであっても、吸収性コア１５０の型崩れが起こりにくくなる。
【００３２】
以下、図５〜図１３に基づき、本考案に係る第１の変形例〜第５の変形例を説明する。なお、第１変形例〜第５変形例の説明において、上記実施形態と同様の構成を有する構成要素や、他の変形例と同様の構成を有する構成要素は、その説明、図面符号などを省略する。
【００３３】
（第１変形例）
本考案に係る第１変形例を、図５および図６に基づき説明する。
第１変形例に係るペット用使い捨ておむつ１０１は、実施形態に係るペット用使い捨ておむつ１００に比して、剛性調整領域２００の構造が異なる。すなわち、第１変形例に係る剛性調整領域２００において、圧縮部２１０は、長手交差方向１００Ｘに延在されている。
この結果、第１変形例に係るペット用使い捨ておむつ１０１は、長手交差方向１００Ｘにおいて、吸収性コア１５０の剛性が調整されるものである。よって、ペット用使い捨ておむつ１０１の吸収性コア１５０は、長手交差方向１００Ｘにおいて型崩れを起こしにくい。
【００３４】
（第２変形例）
本考案に係る第２変形例を、図７及び図８に基づき説明する。
第２変形例に係るペット用使い捨ておむつ１０２は、実施形態に係るペット用使い捨ておむつ１００に比して、剛性調整領域２００の構造が異なる。すなわち、第２変形例に係る剛性調整領域２００は、形状補強部材２２０を有する。なお、形状補強部材２２０を有する場合において、剛性調整領域２００は、最も外側に位置する圧縮部２１０もしくは形状補強部材２２０に囲まれた領域とされる。また、剛性調整領域２００は、任意の２つの圧縮部２１０同士の間における領域とされる。また、剛性調整領域２００は、任意の２つの形状補強部材２２０の間における領域とされる。また、剛性調整領域２００は、任意の圧縮部２１０と形状補強部材２２０の間における領域とされる。形状補強部材２２０により、形状補強部材２２０が配置された領域の剛性を高めることが可能となる。
【００３５】
形状補強部材２２０は、立体形状である立体部材２２１により形成されている。立体部材は、合成樹脂により形成されている。合成樹脂としては、ポリカーボネートやポリオレフィン等を選択することができる。また、立体部材２２１は、段ボールやいわゆる厚紙等の、パルプによる成形品により形成することができる。また、立体部材２２１は、金属により形成することができる。
【００３６】
形状補強部材２２０により付加される剛性は、圧縮部２１０による剛性次第で、適宜変更することができる。すなわち、形状補強部材２２０の材質、形状、配置位置などは、達成しようとするペット用使い捨ておむつ次第で適宜設計することが可能である。
【００３７】
第２変形例においては、形状補強部材２２０は、厚み方向１００Ｚにおいて、圧縮部２１０よりも外側方向１００Ｚ２に設けられている。例えば、図８に示すように、形状補強部材２２０を第２シート状部材１７０における外側方向１００Ｚ２側の面に設けることができる。この場合、形状補強部材２２０と第２シート状部材１７０は、接着剤により貼り付けることができる。なお、便宜上、図８においては第３シート状部材１８０を省略する。なお、後に説明する図１０および図１２においても同様に第３シート状部材１８０を省略する。
【００３８】
形状補強部材２２０は、厚み方向１００Ｚにおいて、圧縮部２１０が存在する領域に設けることができる。第２変形例に係るペット用使い捨ておむつ１０２は、厚み方向１００Ｚにおいて、圧縮部２１０と形状補強部材２２０が重なっている。なお、形状補強部材２２０は、圧縮部２１０よりも大きく形成されている。すなわち形状補強部材２２０の長手方向１００Ｙの長さは、圧縮部２１０の長手方向１００Ｙの長さよりも長く形成されている。また、形状補強部材２２０の長手交差方向１００Ｘの長さは、圧縮部２１０の形状補強部材２２０の長さよりも長く形成されている。
【００３９】
形状補強部材２２０は、圧縮部２１０が延在する方向に沿った方向に延在することができる。第２変形例に係るペット用使い捨ておむつ１０２においては、形状補強部材２２０と圧縮部２１０とは、ともに長手方向１００Ｙに沿った方向に延在される。
【００４０】
第２変形例に係るペット用使い捨ておむつ１０２は、吸収性コア１５０の長手方向１００Ｙに対して剛性を調整することができる。また、ペット用使い捨ておむつ１０２は、実施形態に係るペット用使い捨ておむつ１００に比して、形状補強部材２２０を有する。よって、所望される吸収性コア１５０の剛性に対し、圧縮部２１０や形状補強部材２２０を適宜選択することが可能となる。
【００４１】
（第３変形例）
本考案に係る第３変形例を、図９及び図１０に基づき説明する。
第３変形例に係るペット用使い捨ておむつ１０３は、第２変形例に係るペット用使い捨ておむつ１０２に比して、剛性調整領域２００の構造が異なる。すなわち、第３変形例に係る剛性調整領域２００は、形状補強部材２２０が圧縮部２１０よりも小さく形成されている。すなわち形状補強部材２２０の長手方向１００Ｙの長さは、圧縮部２１０の長手方向１００Ｙの長さよりも短く形成されている。また、形状補強部材２２０の長手交差方向１００Ｘの長さは、圧縮部２１０の形状補強部材２２０の長さよりも短く形成されている。
【００４２】
第３変形例に係るペット用使い捨ておむつ１０３は、吸収性コア１５０の長手方向１００Ｙに対して剛性を調整することができる。また、ペット用使い捨ておむつ１０３は、実施形態に係るペット用使い捨ておむつ１００に比して、形状補強部材２２０を有する。よって、所望される吸収性コア１５０の剛性に対し、圧縮部２１０や形状補強部材２２０を適宜選択することが可能となる。
【００４３】
（第４変形例）
本考案に係る第３変形例を、図１１及び図１２に基づき説明する。
第４変形例に係るペット用使い捨ておむつ１０４は、第２変形例に係るペット用使い捨ておむつ１０２に比して、剛性調整領域２００の構造が異なる。すなわち、第４変形例に係る形状補強部材２２０は、厚み方向１００Ｚにおいて、圧縮部２１０が存在しない領域に設けられている。すなわち、形状補強部材２２０と圧縮部２１０は、厚み方向１００Ｚにおいて重なっていない。よりには、複数の圧縮部２１０の間における領域に、形状補強部材２２０が形成される。
【００４４】
第４変形例に係るペット用使い捨ておむつ１０４は、吸収性コア１５０の長手方向１００Ｙに対して剛性を調整することができる。また、ペット用使い捨ておむつ１０４は、実施形態に係るペット用使い捨ておむつ１００に比して、形状補強部材２２０を有する。よって、所望される吸収性コア１５０の剛性に対し、圧縮部２１０や形状補強部材２２０を適宜選択することが可能となる。
【００４５】
（第５変形例）
本考案に係る第５変形例を、図１１及び図１２に基づき説明する。
第５変形例に係るペット用使い捨ておむつ１０５は、第２変形例に係るペット用使い捨ておむつ１０２に比して、剛性調整領域２００の構造が異なる。すなわち、第５変形例に係る形状補強部材２２０は、圧縮部２１０が延在する方向と交差する方向に延在している。
具体的には、圧縮部２１０は長手方向１００Ｙに延在しており、形状補強部材２１０は、長手交差方向に延在している。
【００４６】
第５変形例に係るペット用使い捨ておむつ１０５は、吸収性コア１５０の長手方向１００Ｙおよび長手交差方向１００Ｘに対して剛性を調整することができる。また、ペット用使い捨ておむつ１０４は、実施形態に係るペット用使い捨ておむつ１００に比して、形状補強部材２２０を有する。よって、所望される吸収性コア１５０の剛性に対し、圧縮部２１０や形状補強部材２２０を適宜選択することが可能となる。
【００４７】
なお、本考案に係るペット用使い捨ておむつの構成は上述した構造に限らないものである。実施形態や第１変形例〜第５変形例に記載されている構成を、適宜組み合わせることは、もちろん可能である。
【００４８】
（実施の形態と本考案の各構成要素の対応について）
ペット用使い捨ておむつ１００は、本考案に係る「ペット用使い捨ておむつ」の一例である。背側胴周り領域１２０は、本考案に係る「背側胴周り領域」の一例である。腹側胴周り領域１１０は、本考案に係る「腹側胴周り領域」の一例である。股下領域１３０は、本考案に係る「股下領域」の一例である。尻尾挿通用開口１４０は、本考案に係る「尻尾挿通用開口」の一例である。吸収性コア１５０は、本考案に係る「吸収性コア」の一例である。長手方向１００Ｙは、本考案に係る「長手方向」の一例である。長手交差方向１００Ｘは、本考案に係る「長手交差方向」の一例である。厚み方向１００Ｚは、本考案に係る「厚み方向」の一例である。内側領域１００Ｚ１は、本考案に係る「内側領域」の一例である。外側領域１００Ｚ２は、本考案に係る「外側領域」の一例である。吸収性コア腹側領域１５１は、本考案に係る「吸収性コア腹側領域」の一例である。吸収性コア尻尾側領域１５２は、本考案に係る「吸収性コア尻尾側領域」の一例である。圧縮部２１０は、本考案に係る「圧縮部」の一例である。剛性調整領域２００は、本考案に係る「剛性調整領域」の一例である。オープン型ペット用使い捨ておむつ１００Ａは、本考案に係る「第１ペット用使い捨ておむつ」の一例である。係止部１１１Ａは、本考案に係る「係止部」の一例である。係止領域１２１Ａは、本考案に係る「係止領域」の一例である。パンツ型ペット用使い捨ておむつ１００Ｂは、本考案に係る「第２ペット用使い捨ておむつ」の一例である。接合部１００Ｂ１は、本考案に係る「接合部」の一例である。
【００４９】
以上の本考案の特質に鑑み、以下の各種の構成態様が構築できる。
（態様１）
背側胴周り領域と、腹側胴周り領域と、前記背側胴周り領域と前記腹側胴周り領域の間に形成された股下領域と、尻尾挿通用開口と、前記腹側胴周り領域と前記尻尾挿通開口との間に形成された吸収性コアと、を有するペット用使い捨ておむつであって、
前記吸収性コアは、前記腹側胴周り領域の方向に位置する吸収性コア腹側領域と、前記尻尾挿通用開口の方向に位置する吸収性コア尻尾側領域とを有し、
前記吸収性コア腹側領域は、所定領域を圧縮することにより設けられた圧縮部を有し、
前記圧縮部は、前記吸収性コア腹側領域の剛性を調整する剛性調整領域を形成することを特徴とするペット用使い捨ておむつ。
（態様２）
態様１に記載されたペット用使い捨ておむつであって、
前記圧縮部は複数個設けられており、
当該複数設けられた圧縮部に囲まれた領域が前記剛性調整領域を形成することを特徴とするペット用使い捨ておむつ。
（態様３）
態様１または２に記載されたペット用使い捨ておむつであって、
前記吸収性コアは、前記ペット用使い捨ておむつの背側胴周り領域と腹側胴周り領域とを連続する方向である長手方向と、当該長手方向と交差する方向である長手交差方向と、前記長手方向および前記長手交差方向の双方と交差する方向である厚み方向とに亘り延在されていることを特徴とするペット用使い捨ておむつ。
（態様４）                            
態様３に記載されたペット用使い捨ておむつであって、
前記圧縮部は、前記長手方向に延在されていることを特徴とするペット用使い捨ておむつ。
（態様５）
態様３に記載されたペット用使い捨ておむつであって、
前記圧縮部は、前記長手交差方向に延在されていることを特徴とするペット用使い捨ておむつ。
（態様６）
態様１〜５のいずれか１項に記載されたペット用使い捨ておむつであって、
前記ペット用使い捨ておむつは、前記ペットに着用した状態において前記ペット側へ向けられる内側領域と、当該内側領域と対向する領域である外側領域とを有することを特徴とするペット用使い捨ておむつ。
（態様７）
態様６に記載されたペット用使い捨ておむつであって、
前記ペット用使い捨ておむつは、前記腹側胴周り領域に設けられた係止部と、前記背側胴周り領域における前記外側領域に設けられるとともに前記係止部を受ける係止領域と、を有する第１ペット用使い捨ておむつであることを特徴とするペット用使い捨ておむつ。
（態様８）
態様６に記載されたペット用使い捨ておむつであって、
前記ペット用使い捨ておむつは、前記背側胴周り領域における前記長手交差方向上の一対の端部と、前記腹側胴周り領域における前記長手交差方向上の一対の端部とを接合する接合部を有する第２ペット用使い捨ておむつであることを特徴とするペット用使い捨ておむつ。
（態様９）
態様１〜８に記載されたペット用使い捨ておむつであって、
前記剛性調整領域は、形状補強部材を有することを特徴とするペット用使い捨ておむつ。
（態様１０）
態様９に記載されたペット用使い捨ておむつであって、
前記形状補強部材は、前記厚み方向において、前記圧縮部よりも前記外側方向に設けられていることを特徴とするペット用使い捨ておむつ。
（態様１１）
態様９〜１０のいずれか１項に記載されたペット用使い捨ておむつであって、
前記形状補強部材は、前記厚み方向において、前記圧縮部が存在する領域に設けられていることを特徴とするペット用使い捨ておむつ。
（態様１２）
態様９〜１０のいずれか１項に記載されたペット用使い捨ておむつであって、
前記形状補強部材は、前記厚み方向において、前記圧縮部が存在しない領域に設けられていることを特徴とするペット用使い捨ておむつ。
（態様１３）
態様９〜１２のいずれか１項に記載されたペット用使い捨ておむつであって、
前記形状補強部材は、前記圧縮部が延在する方向に沿った方向に延在することを特徴とするペット用使い捨ておむつ。
（態様１４）
態様９〜１２のいずれか１項に記載されたペット用使い捨ておむつであって、
前記形状補強部材は、前記圧縮部が延在する方向と交差する方向に延在することを特徴とするペット用使い捨ておむつ。
（態様１５）
態様９〜１４のいずれか１項に記載されたペット用使い捨ておむつであって、
前記形状補強部材は、立体形状である立体部材により形成されていることを特徴とするペット用使い捨ておむつ。
（態様１６）
態様１５に記載されたペット用使い捨ておむつであって、
前記立体部材は、合成樹脂により形成されていることを特徴とするペット用使い捨ておむつ。
（態様１７）
態様１５に記載されたペット用使い捨ておむつであって、
前記立体部材は、パルプによる成形品により形成されていることを特徴とするペット用使い捨ておむつ。
（態様１８）
態様１５に記載されたペット用使い捨ておむつであって、
前記立体部材は、金属により形成されていることを特徴とするペット用使い捨ておむつ。
【符号の説明】
【００５０】
１００、１０１、１０２、１０３、１０４、１０５  ペット用使い捨ておむつ
１００Ｘ  長手交差方向
１００Ｙ  長手方向
１００Ｚ  厚み方向
１００Ｚ１  内側領域
１００Ｚ２  外側領域
１１０  腹側胴周り領域
１２０  背側胴周り領域
１３０  股下領域
１４０  尻尾挿通用開口
１５０  吸収性コア
１５１  吸収性コア腹側領域
１５２  吸収性コア尻尾側領域
１６０  第１シート状部材
１７０  第２シート状部材
１８０  第３シート状部材
１００Ａ  オープン型ペット用使い捨ておむつ（第１ペット用使い捨ておむつ）
１１１Ａ  係止部
１１２Ａ  フラップ部
１２１Ａ  係止領域
１００Ｂ  パンツ型ペット用使い捨ておむつ(第２ペット用使い捨ておむつ)
１００Ｂ１  接合部
１００Ｂ２  伸縮性弾性部材
２００  剛性調整領域
２１０  圧搾部
２２０  形状補強部材
２２１  立体部材
【図１】
0003212452.tif 000003
【図２】
0003212452.tif 000004
【図３】
0003212452.tif 000005
【図４】
0003212452.tif 000006
【図５】
0003212452.tif 000007
【図６】
0003212452.tif 000008
【図７】
0003212452.tif 000009
【図８】
0003212452.tif 000010
【図９】
0003212452.tif 000011
【図１０】
0003212452.tif 000012
【図１１】
0003212452.tif 000013
【図１２】
0003212452.tif 000014
【図１３】
0003212452.tif 000015
【手続補正書】
【提出日】平成29年7月13日(2017.7.13)
【手続補正１】
【補正対象書類名】実用新案登録請求の範囲
【補正対象項目名】全文
【補正方法】変更
【補正の内容】
【実用新案登録請求の範囲】
【請求項１】
背側胴周り領域と、腹側胴周り領域と、前記背側胴周り領域と前記腹側胴周り領域の間に形成された股下領域と、尻尾挿通用開口と、前記腹側胴周り領域と前記尻尾挿通用開口との間に形成された吸収性コアと、を有するペット用使い捨ておむつであって、
前記吸収性コアは、前記腹側胴周り領域の方向に位置する吸収性コア腹側領域と、前記尻尾挿通用開口の方向に位置する吸収性コア尻尾側領域とを有し、
前記吸収性コア腹側領域は、所定領域を圧縮することにより設けられた圧縮部を有し、
前記圧縮部は、前記吸収性コア腹側領域の剛性を調整する剛性調整領域を形成することを特徴とするペット用使い捨ておむつ。
【請求項２】
請求項１に記載されたペット用使い捨ておむつであって、
前記圧縮部は複数個設けられており、
当該複数設けられた圧縮部に囲まれた領域が前記剛性調整領域を形成することを特徴とするペット用使い捨ておむつ。
【請求項３】
請求項１または２に記載されたペット用使い捨ておむつであって、
前記吸収性コアは、前記ペット用使い捨ておむつの背側胴周り領域と腹側胴周り領域とを連続する方向である長手方向と、当該長手方向と交差する方向である長手交差方向と、前記長手方向および前記長手交差方向の双方と交差する方向である厚み方向とに亘り延在されていることを特徴とするペット用使い捨ておむつ。
【請求項４】
請求項３に記載されたペット用使い捨ておむつであって、
前記圧縮部は、前記長手方向に延在されていることを特徴とするペット用使い捨ておむつ。
【請求項５】
請求項３に記載されたペット用使い捨ておむつであって、
前記圧縮部は、前記長手交差方向に延在されていることを特徴とするペット用使い捨ておむつ。
【請求項６】
請求項３〜５のいずれか１項に記載されたペット用使い捨ておむつであって、
前記ペット用使い捨ておむつは、ペットに着用した状態において当該ペット側へ向けられる内側領域と、当該内側領域と対向する領域である外側領域とを有することを特徴とするペット用使い捨ておむつ。
【請求項７】
請求項６に記載されたペット用使い捨ておむつであって、
前記ペット用使い捨ておむつは、前記腹側胴周り領域に設けられた係止部と、前記背側胴周り領域における前記外側領域に設けられるとともに前記係止部を受ける係止領域と、を有する第１ペット用使い捨ておむつであることを特徴とするペット用使い捨ておむつ。
【請求項８】
請求項６に記載されたペット用使い捨ておむつであって、
前記ペット用使い捨ておむつは、前記背側胴周り領域における前記長手交差方向上の一対の端部と、前記腹側胴周り領域における前記長手交差方向上の一対の端部とを接合する接合部を有する第２ペット用使い捨ておむつであることを特徴とするペット用使い捨ておむつ。